(57)【要約】【課題】伸縮ベルト部分に連結したリードを引っ張った際に、犬の牽引力で革ベルトにかかる負荷を、リード基端の把手部分にかかる負荷によって取扱者が感得することができるようにした犬の首輪とリードであり、上記犬の首（のど）への負担が軽減されにくいという問題点を解決しようとするものである。【解決手段】犬の首輪と、犬の首輪に連結するリードとを有し、リード基端部分に設けた把手部分をリング状に形成し、該把手部分に平スプリング材を内蔵させるとともに、リード基端の把手部分を一部開放して開閉自在とするよう、ワンタッチで着脱自在に取り付ける着脱金具をその両端に取り付け、伸縮ベルト部分に連結したリードを引っ張った際に、リード基端の把手部分にかかる負荷を取扱者が感得することができるようにしたことを特徴とする犬の首輪とリード。【選択図】  図２
2008054516.tif 000002
【特許請求の範囲】
【請求項１】
平スプリング材を内蔵させた犬の首の前側に掛ける革ベルトと、革ベルトの両端に取り付けて革ベルトとあわせてリング状となるようにした伸縮ベルトと、該伸縮ベルトを犬の首の後側において革ベルトに対してワンタッチで着脱自在に取り付ける着脱金具と、前記伸縮ベルトに掛止金具を取り付けて革ベルト部分とリードとの着脱を容易にした犬の首輪と、犬の首輪に連結するリードとを有し、リード基端部分に設けた把手部分をリング状に形成し、該把手部分に平スプリング材を内蔵させるとともに、リード基端の把手部分を一部開放して開閉自在とするよう、ワンタッチで着脱自在に取り付ける着脱金具をその両端に取り付け、
前記犬の首輪を構成する革ベルトおよびリードの輪状の部分に内蔵した平スプリング材をそれぞれ近似した変形度とすることにより、
伸縮ベルト部分に連結したリードを引っ張った際に、犬の牽引力で革ベルトにかかる負荷を、リード基端の把手部分にかかる負荷によって取扱者が感得することができるようにしたことを特徴とする犬の首輪とリード。
【請求項２】
平スプリング材を内蔵した革ベルトが、革ベルトと伸縮ベルトとの着脱金具部分に延長されていて、着脱金具が犬に与える不快感を解消したことを特徴とする請求項１に記載された犬の首輪とリード。
【発明の詳細な説明】
【技術分野】
【０００１】
この発明は、犬の日常の散歩や訓練等に用いる犬の首輪とリード（引き綱）に関するものである。
【背景技術】
【０００２】
従来の犬の首輪につなぐリードとしては、特開２００３−３１００８６公報（特許文献１参照）のように、犬の日常の散歩や訓練に際し、使用するリードの輪状の部分に平スプリング材を内蔵させ、リードの輪状の部分が一定の円弧を保った状態で自由に変形することにより衝撃を緩衝し、犬の牽引力による手の負担や苦痛を軽減するようにしたものが知られている。
【０００３】
また、スプリングを内蔵した犬の首輪としては、特開２００３−２９９４２１公報（特許文献２参照）のように、首輪の輪状のところに、金属や樹脂などの平スプリング材を装備し、首輪が外部からの力によって、その輪状が容易に変形しないようにしたものが知られている。
【特許文献１】特開２００３−３１００８６公報
【特許文献２】特開２００３−２９９４２１公報
【発明の開示】
【発明が解決しようとする課題】
【０００４】
前記特許文献１および２の先行技術は、犬の日常の散歩や訓練に際し、犬の首輪を構成する革ベルトに平スプリング材を内蔵させたり、使用するリードの輪状の部分に平スプリング材を内蔵させて、犬の首輪を構成する革ベルトやリードの輪状の部分がそれぞれ自由に変形することにより衝撃を緩衝し、犬の牽引力による犬の首（のど）への負担や、取扱者の手への負担や苦痛を軽減するようにしたものである。
【０００５】
ところが、平スプリング材を内蔵した犬の首輪を構成する革ベルトやリードの輪状の部分がそれぞれ個別の変形度を有しているため、犬の首にかかる負担がどのようなものかが判らず、犬の牽引力による犬の首（のど）への負担がどの程度のものかは取扱者には伝わりにくかった。
そのため、犬の首輪を構成する革ベルトやリードの輪状の部分がそれぞれ自由に変形することにより衝撃を緩衝し、犬の牽引力による犬の首（のど）への負担や、取扱者の手への負担や苦痛を軽減するという安心感から、相変わらず犬の首（のど）への負担が軽減されにくいという問題点があった。
【０００６】
この発明は、犬の首輪を構成する革ベルトおよびリードの輪状の部分に内蔵した平スプリング材をそれぞれ近似した変形度とすることにより、伸縮ベルト部分に連結したリードを引っ張った際に、犬の牽引力で革ベルトにかかる負荷を、リード基端の把手部分にかかる負荷によって取扱者が感得することができるようにした犬の首輪とリードであり、上記犬の首（のど）への負担が軽減されにくいという問題点を解決しようとするものである。
【課題を解決するための手段】
【０００７】
この発明の犬の首輪とリードは、平スプリング材を内蔵させた犬の首の前側に掛ける革ベルトと、革ベルトの両端に取り付けて革ベルトとあわせてリング状となるようにした伸縮ベルトと、該伸縮ベルトを犬の首の後側において革ベルトに対してワンタッチで着脱自在に取り付ける着脱金具と、前記伸縮ベルトに掛止金具を取り付けて革ベルト部分とリードとの着脱を容易にした犬の首輪と、犬の首輪に連結するリードとを有し、リード基端部分に設けた把手部分をリング状に形成し、該把手部分に平スプリング材を内蔵させるとともに、リード基端の把手部分を一部開放して開閉自在とするよう、ワンタッチで着脱自在に取り付ける着脱金具をその両端に取り付け、
前記犬の首輪を構成する革ベルトおよびリードの輪状の部分に内蔵した平スプリング材をそれぞれ近似した変形度とすることにより、
伸縮ベルト部分に連結したリードを引っ張った際に、犬の牽引力で革ベルトにかかる負荷を、リード基端の把手部分にかかる負荷によって取扱者が感得することができるようにしたことを特徴とするものである。
【０００８】
この発明の犬の首輪とリードは、平スプリング材を内蔵した革ベルトが、革ベルトと伸縮ベルトとの着脱金具部分に延長されていて、着脱金具が犬に与える不快感を解消したことをも特徴とするものである。
【発明の効果】
【０００９】
上述のように、この発明の犬の首輪とリードは、前記犬の首輪を構成する革ベルトおよびリードの輪状の部分に内蔵した平スプリング材をそれぞれ近似した変形度とすることにより、伸縮ベルト部分に連結したリードを引っ張った際に、犬の牽引力で革ベルトにかかる負荷を、リード基端の把手部分にかかる負荷によって取扱者が感得することができるようにしたものである。
【００１０】
したがって、この発明の犬の首輪とリードによれば、犬の牽引力で革ベルトにかかる負荷が、リード基端の把手部分にかかる負荷によって取扱者が感得することができるため、取扱者が注意するようになって、犬の首（のど）への負担がより軽減されやすくなった。
【発明を実施するための最良の形態】
【００１１】
以下この発明の犬の首輪とリードの実施の形態を図面に基いて詳細に説明する。
図１はこの発明の犬の首輪とリードの１実施例を示す概略平面図、図２はその概略側面図、図３（ａ）はリード部分の概略平面図、（ｂ）はリード部分の概略側面図、図４は首輪に内蔵した平スプリング等を説明するための平面図、図５は首輪部分の平面図、図６（ａ）は着脱金具の分解状態の平面図、（ｂ）はその側面図、図７（ａ）は着脱金具の結合状態の平面図、（ｂ）はその側面図である。
【００１２】
図１、図２および図３（ａ），（ｂ）の実施例において示されるこの発明の犬の首輪は、犬の首の前側に掛ける革ベルト１１と、革ベルト１１の両端に取り付けた伸縮ベルト１２から構成されている。前記革ベルト１１の一端には伸縮ベルト１２の端部が縫製等によって強固に固着されている。また前記革ベルト１１の他端には伸縮ベルト１２の端部が着脱金具１３によって着脱自在に連結されている。
【００１３】
前記伸縮ベルト１２は、図５に示すように、固着された前記革ベルト１１の一端から着脱金具１３の雄体２１の係合孔に挿通し、その後折り返して長尺の二重構造としてある。またその先端はさらに折り返して短尺の二重構造としてある。そして、この短尺の二重構造部分にはリング１４が縫着され、このリング１４には掛止金具１６を介して後述のリード１５が連結される。１７は掛止金具１６とリード１５を連結する軸受枠で、この軸受枠１７に掛止金具１６が回転自在に保持されている。
２２は着脱金具１３の雌体である。
【００１４】
前記着脱金具１３は、図６（ａ），（ｂ）および図７（ａ），（ｂ）に示すように、雄体２１および雌体２２で構成されている。前記雄体２１の基端にはベルト体の端部を挿通する係合孔２３が形成されており、先端には３本の弾性爪２４が凸設されている。
前記雌体２２の基端には、ベルト体の端部を挿通する係合孔２５が形成されており、先端に向かって筒状部分２６が形成されている。また、前記筒状部分２６の両側壁には開口窓２７が形成されている。そして、雄体２１の弾性爪２４は弾性変形して筒状部分２６に挿通されると同時に、該開口窓２７に設けた係合部に弾性爪２４の段差２８が係合して抜け止めするようになっている。
【００１５】
図５において，前記伸縮ベルト１２の適所に取り付けられ、中央に差し渡し棒３２を固設した矩形の長さ調節金具３１には、その片方の窓に下側から挿通した伸縮ベルト１２を他方の窓に上側から挿通することにより伸縮ベルト１２を組み付けている。
また、差し渡し棒３２には、予め伸縮ベルト１２の短尺の二重構造部分の折返し部分３３が巻き付けられており、折返し部分３３の外側を伸縮ベルト１２がスライドするようになっている。
【００１６】
そして、前記リング１４に掛止金具１６を介して連結したリード１５は、その基端部分にリング状に形成した把手部分４１が設けられており、リード基端の該把手部分４１を一部開放して開閉自在としてある。この開放端部の両側には着脱金具４２が取り付けられており、開放部分をワンタッチで着脱できるようになっている。
【００１７】
図１および図２に示した、前記犬の首輪を構成する革ベルト１１およびリード１５の輪状の部分には平スプリング材５１が内蔵してあり、この平スプリング材５１をそれぞれ近似した変形度とすることにより、伸縮ベルト１２部分に連結したリード１５を引っ張った際に、犬の牽引力で革ベルト１１にかかる負荷を、リード基端の把手部分４１にかかる負荷によって取扱者が感得することができるようになっているのである。
【００１８】
前記革ベルト１１およびリード１５の輪状の部分に内蔵させる前記平スプリング材５１は、犬の首６１を絞めすぎない程度の所定の剛性を有していることが望ましい。このような素材としては、弾性を備えたプラスチック素材、たとえばアイオノマー樹脂やエンジニアリングプラスチック類、弾性を有する燐青銅等の金属素材が好適に使用できる。
そして、前記犬の首輪を構成する革ベルト１１およびリード１５の輪状の部分に内蔵した平スプリング材５１をそれぞれ近似した変形度とすることが重要である。すなわち、互いに異なる変形度の場合、取扱者の手に犬の首（のどの部分）６１にかかる負荷が伝わりにくいのに対し、近似した変形度とすると、犬の牽引力で革ベルト１１にかかる負荷を、リード基端の把手部分４１にかかる負荷によって取扱者が感得することができるのである。
【００１９】
また、前記革ベルト１１内には、図４に示すように、前記平スプリング材５１の内側に、低反発衝撃吸収材５２と軟質弾性材５３からなる衝撃吸収手段を内蔵させることが望ましい。
低反発衝撃吸収材としては低反発ウレタンが、軟質弾性材としては高発泡ウレタン等が好適である。このように前記革ベルト１１内に低反発衝撃吸収材と軟質弾性材からなる衝撃吸収手段を内蔵させることにより、前記平スプリング材５１の剛性によって犬の首６１を締め付けすぎることを防止するとともに、犬が過度に引っ張っても衝撃吸収手段で犬の首６１に負荷が集中することを防ぎ、犬に締付による首の圧迫や呼吸困難に陥らせることがなくなる。
【００２０】
それと同時に、前記犬の首輪を構成する革ベルト１１およびリード１５の輪状の部分に内蔵した平スプリング材５１をそれぞれ近似した変形度としたので、伸縮ベルト１２部分に連結したリード１５を引っ張った際に、犬の牽引力で革ベルト１１にかかる負荷を、リード基端の把手部分４１にかかる負荷によって取扱者が感得することができるようになっている。
したがって、この実施例の犬の首輪とリードによれば、犬の牽引力で革ベルト１１にかかる負荷が、リード基端の把手部分４１にかかる負荷によって取扱者が感得することができるため、取扱者が注意するようになって、犬の首６１への負担がより軽減されやすくなるのである。
【００２１】
次にこの発明の犬の首輪とリードの使用態様について説明する。
図１のように、掛止金具１６の係合を解いて革ベルト１１と伸縮ベルト１２との間に犬の首６１をはめ込み、掛止金具１６の雄体２１を雌体２２にはめ込んで両者を連結する。
次に掛止金具１６のレバー１６−１を操作してリング部分を開口させ、掛止金具１６をリング１４に取り付ける。これによって犬の首輪の装着が完了する。
この状態で、リード１５の他方に形成した把手部分４１に手を掛けてリード１５を伸張させれば、犬の散歩や訓練に出かけることができる。
その際、リード１５の把手部分４１の着脱金具４２を開いて柵や杭，柱等に巻き付け、着脱金具４２を結合すれば、多少の時間は犬を繋いでおくことができるので、簡単な用件を足すのに便利である。
【産業上の利用可能性】
【００２２】
上述のように、この発明の犬の首輪とリードは、犬の日常の散歩や訓練等に用いられることはもちろんのこと、それ以外の場面でも使用できることはいうまでもない。
また犬の首輪とリードに、ペアファッションやその他のファッションの要素も取り入れることが可能である。これは、革ベルト部分の色や模様などの組み合わせパターンによって実現できる。
【図面の簡単な説明】
【００２３】
【図１】この発明の犬の首輪とリードの１実施例を示す概略平面図である。
【図２】その概略側面図である。
【図３】（ａ）はリード部分の概略平面図、（ｂ）はリード部分の概略側面図である。
【図４】首輪部分の平面図である。
【図５】（ａ）は着脱金具の分解状態の平面図、（ｂ）はその側面図である。
【図６】（ａ）は着脱金具の結合状態の平面図、（ｂ）はその側面図である。
【符号の説明】
【００２４】
１１  革ベルト
１２  伸縮ベルト
１３  着脱金具
１４  リング
１５  リード
１６  掛止金具
１６−１  レバー
１７  軸受枠
２１  雄体
２２  雌体
２３  係合孔
２４  弾性爪
２５  係合孔
２６  筒状部分
２７  開口窓
２８  段差
３１  長さ調節金具
３２  差し渡し棒
３３  折返し部分
４１  把手部分
４２  着脱金具
５１  平スプリング材
５２  低反発衝撃吸収材
５３  軟質弾性材
６１  犬の首
【図１】
2008054516.tif 000003
【図２】
2008054516.tif 000004
【図３】
2008054516.tif 000005
【図４】
2008054516.tif 000006
【図５】
2008054516.tif 000007
【図６】
2008054516.tif 000008